(57)【要約】【課題】外部からの切り替え指示があっても、切替ショックが発生するおそれのあるときは切替処理を中止することができるようにする。【解決手段】デジタル放送信号切替装置は、外部から計画切替を行う指示を受けると、制御部６０から切替部７０、現用系出力部１０及び、予備系出力部２０に切替指示信号を出力する。切替部７０は、切替指示信号を受けると出力系統の切り替えを実行する。デジタル放送信号切替装置は、判断部４０で現用系出力部１０から出力されるＴＳ信号と予備系出力部２０から出力されるＴＳ信号とを比較する。そして、デジタル放送信号切替装置は、判断部４０で両系統のＴＳ信号が切替ショックを発生させない条件を満たさないと判断した場合、切替部７０におけるＴＳ信号の出力系統の切り替えを中止する。【選択図】      図１
2009188756.tif 000002
【特許請求の範囲】
【請求項１】
それぞれがデジタル放送信号を出力する複数系統の出力手段と、
前記複数系統のデジタル放送信号それぞれを２系統に分配する分配部と、
前記２系統に分配されたうち一方の複数系統のデジタル放送信号を受け取っていずれかの系統のデジタル放送信号を選択的に切り替えて出力する切替部と、
前記２系統に分配されたうち他方の複数系統のデジタル放送信号を受け取り、切替元となる系統のデジタル放送信号と切替先となる系統のデジタル放送信号との関係が予め設定された条件を満たすか否かを判断し、前記条件を満たさないと判断した場合、前記条件を満たさない旨の信号を出力する判断部と、
出力系統の切り替えを外部から指示されると、前記切替部に出力系統の切り替えを指示する切替指示信号を出力し、前記条件を満たさない旨の信号を受け取ると前記切替部に前記切り替えの中止を指示する切替中止信号を出力する制御部と
を備え、
前記切替部は、前記切替指示信号を受け取ると前記出力系統の切り替えを実行し、前記切替中止信号を受け取ると前記実行された出力系統の切り替えを中止することを特徴とするデジタル放送信号切替装置。
【請求項２】
前記予め設定された条件とは、前記出力系統の切り替えによりデジタル放送信号に切替ショックを発生させないための条件であることを特徴とする請求項１記載のデジタル放送信号切替装置。
【請求項３】
前記制御部は、前記切替指示信号を前記切替元となる系統の出力手段と前記切替先となる系統の出力手段とにさらに出力し、
前記出力手段は、時間情報を付加して前記デジタル放送信号を出力するもので、前記切替指示信号を受け取った時点で当該デジタル放送信号に切替点フラグを挿入し、
前記判断部は、前記切替元となる系統のデジタル放送信号と前記切替先となる系統のデジタル放送信号とで、前記時間情報が一致し、前記切替点フラグのずれが規定値以内であるか否かを前記条件として判断することを特徴とする請求項１記載のデジタル放送信号切替装置。
【請求項４】
前記切替部は、前記出力の切り替えが完了すると当該完了した旨を前記制御部に通知し、前記出力の切り替えが中止されると当該中止した旨を前記制御部に通知し、
前記制御部は、前記出力の切り替えが完了した旨の通知を受け取ると外部に当該完了した旨を通知し、前記出力の切り替えが中止した旨の通知を受け取ると外部に当該中止した旨を通知することを特徴とする請求項１記載のデジタル放送信号切替装置。
【請求項５】
複数系統のデジタル放送信号を選択的に切り替えて出力するデジタル放送信号切替装置に用いられ、
外部から出力系統の切り替えを指示されると、出力系統の切り替えを指示する切替指示信号を生成し、
前記切替指示信号が生成されると前記出力系統の切り替えを実行し、
切替元となる系統のデジタル放送信号と切替先となる系統のデジタル放送信号とが予め設定された条件を満たしているか否かを判断し、
前記条件を満たしていないと判断した場合、当該条件を満たしていない旨の信号を生成し、
前記条件を満たしていない旨の信号が生成されると、前記切り替えの中止を指示する切替中止信号を生成し、
前記切替中止信号が生成されると、前記実行された出力系統の切り替えを中止することを特徴とするデジタル放送信号切替制御方法。
【請求項６】
前記予め設定された条件とは、前記出力系統の切り替えによりデジタル放送信号に切替ショックを発生させないための条件であることを特徴とする請求項５記載のデジタル放送信号切替制御方法。
【請求項７】
時間情報を付加して前記複数系統のデジタル放送信号を出力し、
前記切替指示信号が生成されると、前記時間情報を付加して出力されるデジタル放送信号に切替点フラグを挿入し、
前記判断は、切替元となる系統のデジタル放送信号と切替先となる系統のデジタル放送信号とで、前記時間情報が一致し、前記切替点フラグのずれが規定値以内であるか否かを前記条件とすることを特徴とする請求項５記載のデジタル放送信号切替制御方法。
【請求項８】
前記出力の切り替えが完了すると当該完了した旨を通知する信号を生成し、
前記完了した旨を通知する信号が生成されると、外部に当該旨を通知し、
前記出力の切り替えが中止されると当該中止した旨を通知する信号を生成し、
前記中止した旨を通知する信号が生成されると、外部に当該旨の通知することを特徴とする請求項５記載のデジタル放送信号切替制御方法。
【発明の詳細な説明】
【技術分野】
【０００１】
本発明は、複数系統のデジタル放送信号を選択的に切り替えて送出するデジタル放送信号切替装置及びデジタル放送信号切替制御方法に関する。
【背景技術】
【０００２】
放送局における放送システムは、放送波ＴＳ（Transport Stream）信号の安定供給のために冗長構成（２重化または３重化）を採っている。この放送システムでは、冗長構成における各系統の保守のため、計画的に出力系統を切り替える計画切替が行われている。一般に計画切替は、外部からの切替指示により実行される。計画切替において、この切替指示のタイミングが適切でない場合、切替元となる系統のＴＳ信号と切替先となる系統のＴＳ信号とで切替制御のタイミングが一致せず、ＴＳ信号にショックが発生してしまう。計画切替は主に放送中に行われるため、このようなショックの発生は抑えなくてはならない。
【０００３】
ところで、従来の放送システムでは、最終段にデジタル放送信号切替装置を配備し、出力系統のＴＳ信号に異常が発生した場合、切替ショックを発生させずに出力系統を切り替えることが可能である（例えば、特許文献１参照。）。
【０００４】
しかしながら、従来のデジタル放送信号切替装置では、計画切替を行う際、切替指示を受け取ると、切替制御のタイミングが一致しない場合であっても、その切替指示に従って切替処理を行ってしまっていた。
【特許文献１】特開２００６−２６１９７７号公報。
【発明の開示】
【発明が解決しようとする課題】
【０００５】
以上のように、従来のデジタル放送信号切替装置では、切替ショックが生じるおそれがあっても外部からの切替指示に従って出力系統の切替処理を行っていた。
【０００６】
本発明は上記事情によりなされたもので、その目的は、切替指示を受け取っても、切替ショックが発生するおそれのあるときは切替処理を中止することが可能なデジタル放送信号切替装置及びデジタル放送信号切替制御方法を提供することにある。
【課題を解決するための手段】
【０００７】
上記目的を達成するため、本発明に係るデジタル放送信号切替装置は、それぞれがデジタル放送信号を出力する複数系統の出力手段と、前記複数系統のデジタル放送信号それぞれを２系統に分配する分配部と、前記２系統に分配されたうち一方の複数系統のデジタル放送信号を受け取っていずれかの系統のデジタル放送信号を選択的に切り替えて出力する切替部と、前記２系統に分配されたうち他方の複数系統のデジタル放送信号を受け取り、切替元となる系統のデジタル放送信号と切替先となる系統のデジタル放送信号との関係が予め設定された条件を満たすか否かを判断し、前記条件を満たさないと判断した場合、前記条件を満たさない旨の信号を出力する判断部と、出力系統の切り替えを外部から指示されると、前記切替部に出力系統の切り替えを指示する切替指示信号を出力し、前記条件を満たさない旨の信号を受け取ると前記切替部に前記切り替えの中止を指示する切替中止信号を出力する制御部とを備え、前記切替部は、前記切替指示信号を受け取ると前記出力系統の切り替えを実行し、前記切替中止信号を受け取ると前記実行された出力系統の切り替えを中止することを特徴とする。
【０００８】
また、本発明に係るデジタル放送信号切替制御方法は、複数系統のデジタル放送信号を選択的に切り替えて出力するデジタル放送信号切替装置に用いられ、外部から出力系統の切り替えを指示されると、出力系統の切り替えを指示する切替指示信号を生成し、前記切替指示信号が生成されると前記出力系統の切り替えを実行し、切替元となる系統のデジタル放送信号と切替先となる系統のデジタル放送信号とが予め設定された条件を満たしているか否かを判断し、前記条件を満たしていないと判断した場合、当該条件を満たしていない旨の信号を生成し、前記条件を満たしていない旨の信号が生成されると、前記切り替えの中止を指示する切替中止信号を生成し、前記切替中止信号が生成されると、前記実行された出力系統の切り替えを中止することを特徴とする。
【０００９】
上記構成によるデジタル放送信号切替装置及びデジタル放送信号切替制御方法は、外部から出力系統の切り替えを指示されると、切替部における出力系統の切り替えを実行する。このとき、デジタル放送信号切替装置は、判断部で、切替元となる系統のデジタル放送信号と切替先となる系統のデジタル放送信号とが予め設定された条件を満たすか否かを判断する。デジタル放送信号切替装置は、この条件が満たされない場合、切替指示により開始された出力系統の切り替えを中止する。これにより、出力系統の切り替えの対象となる信号の状態に応じて、出力系統の切り替えを中止することが可能となる。
【発明の効果】
【００１０】
本発明によれば、切替指示を受け取っても、切替ショックが発生するおそれのあるときは切替処理を中止することが可能なデジタル放送信号切替装置及びデジタル放送信号切替制御方法を提供できる。
【発明を実施するための最良の形態】
【００１１】
以下、図面を参照しながら本発明の実施の形態について詳細に説明する。
【００１２】
図１は、本発明の一実施形態に係るデジタル放送信号切替装置の機能構成を示すブロック図である。図１におけるデジタル放送信号切替装置は、現用系及び予備系による２系統の冗長構成を採る。
【００１３】
図２は、本発明の一実施形態に係るデジタル放送信号切替装置の現用系出力部１０及び予備系出力部２０の機能構成を示すブロック図である。図２における現用系出力部１０及び予備系出力部２０には、それぞれＨＤＴＶ（High Definition TV）方式、ＳＤＴＶ（Standard Definition TV）方式のベースバンド映像信号が供給される。
【００１４】
現用系出力部１０は、入力されたＨＤＴＶ方式のベースバンド映像信号をＨＤ用エンコーダ（ＨＤＥＮＣ）１１−１でＭＰＥＧ２（Moving Picture Experts Group 2）のＴＳ（Transport Stream）信号に変換する。また、現用系出力部１０は、入力されたＳＤＴＶ方式のベースバンド信号をＳＤ用エンコーダ（ＳＤＥＮＣ）１１−２でＭＰＥＧ２のＴＳ信号に変換する。ＨＤ用エンコーダ１１−１及びＳＤ用エンコーダ１１−２は、ＭＰＥＧ２への変換の際にＴＳ信号のパケットヘッダにＰＴＳ（Presentation Time Stamp）を付加する。現用系出力部１０は、これらのＴＳ信号を多重化装置（ＭＵＸ）１２で他のＴＳ信号と多重化して分配部３０−１に出力する。
【００１５】
同様に、予備系出力部２０は、入力されたＨＤＴＶ方式のベースバンド映像信号をＨＤ用エンコーダ２１−１でＭＰＥＧ２のＴＳ信号に変換する。また、予備系出力部２０は、入力されたＳＤＴＶ方式のベースバンド信号をＳＤ用エンコーダ２１−２でＭＰＥＧ２のＴＳ信号に変換する。ＨＤ用エンコーダ２１−１及びＳＤ用エンコーダ２１−２は、ＭＰＥＧ２への変換の際にＴＳ信号のパケットヘッダにＰＴＳを付加する。予備系出力部２０は、これらのＴＳ信号を多重化装置２２で他のＴＳ信号と多重化して分配部３０−２に出力する。
【００１６】
また、ＨＤ用エンコーダ１１−１，２１−１及びＳＤ用エンコーダ１１−２，２１−２は、出力系統の切り替えを指示する切替指示信号を受け取った時点で、それぞれで得られるＴＳ信号にＳＰＦ（Splicing Point Flag）を挿入して出力する。
【００１７】
図１において、分配部３０−１は、現用系出力部１０から出力されるＴＳ信号を２系統に分配し、一方を判断部４０へ出力し、他方を遅延部５０へ出力する。また、分配部３０−２は、予備系出力部２０から出力されるＴＳ信号を２系統に分配し、一方を判断部４０へ出力し、他方を遅延部５０へ出力する。
【００１８】
判断部４０は、現用系出力部１０からのＴＳ信号と予備系出力部２０からのＴＳ信号とを受け取り、両信号におけるＰＴＳ及びＳＰＦを比較する。ここで、本実施形態では、出力系統の切り替えに伴うショックを発生させない条件として、切替元となるＴＳ信号と切替先となるＴＳ信号とにおけるＰＴＳが一致し、かつ、ＳＰＦのずれが規定値以内である、と定義する。判断部４０は、両系統のＴＳ信号が上記切替ショックを発生させない条件を満たすか否かを判断する。両系統のＴＳ信号がこの条件を満たさない場合、条件を満たさない旨の信号を制御部６０に出力する。
【００１９】
遅延部５０は、現用系出力部１０からのＴＳ信号と予備系出力部２０からのＴＳ信号とを受け取り、判断部４０における条件判断にかかる時間分だけ遅延させた後、切替部７０に出力する。
【００２０】
切替部７０は、受け取ったＴＳ信号を選択的に出力するＴＳスプライサ７１と、このＴＳスプライサ７１を切り替える処理部７２とを備える。処理部７２は、出力系統の切り替えを指示する切替指示信号を受け取ると、現用系出力部１０及び予備系出力部２０で挿入されたＳＰＦに基づいて、ＴＳスプライサ７１における出力系統の切替処理を実行する。処理部７２は、出力系統の切り替えが完了すると、切り替えが完了した旨を制御部６０へ通知する。
【００２１】
また、切替部７０は、出力系統の切り替えの中止を指示する切替中止信号を受け取ると、出力系統の切り替えを中止する。切替部７０は、出力系統の切り替えを中止すると、切り替えを中止した旨を制御部６０に通知する。
【００２２】
制御部６０は、出力系統の切り替えを外部から指示されると、切替部７０、現用系出力部１０及び予備系出力部２０に切替指示信号を出力する。また、制御部６０は、判断部４０から条件を満たさない旨の信号を受け取ると、切替中止信号を切替部７０に出力する。
【００２３】
制御部６０は、切替部７０から切り替えが完了した旨の通知を受けた場合、その旨をユーザに報知する。また、制御部６０は、切替部７０から切り替えを中止した旨の通知を受けた場合、その旨をユーザに報知する。
【００２４】
以下では、上記構成のデジタル放送信号切替装置において出力系統の切り替えを中止する際の処理を詳細に説明する。
【００２５】
図３は、本発明の一実施形態に係る制御部６０による中止処理の制御を示すフローチャートである。なお、本実施形態では、初期状態として、現用系のデジタル放送信号が切替部７０から出力されている。
【００２６】
まず、制御部６０は、計画切替が行われる際、出力系統を現用系から予備系に切り替える旨の指示を放送中に受ける（ステップ３ａ）。制御部６０は、出力系統を切り替える旨の指示を受けると、切替部７０、現用系出力部１０及び、予備系出力部２０に切替指示信号を出力する（ステップ３ｂ）。
【００２７】
続いて制御部６０は、切替元となるＴＳ信号と切替先となるＴＳ信号とが既定の条件を満たさない旨の信号があるか否かを判断する（ステップ３ｃ）。規定の条件を満たさない旨の信号があった場合（ステップ３ｃのＹｅｓ）、切替ショックが発生するとして切替部７０に切替中止信号を出力する（ステップ３ｄ）。制御部６０は、切替中止信号を出力すると、切替部７０から切り替えを中止した旨の通知があるか否かを判断する（ステップ３ｅ）。通知があった場合（ステップ３ｅのＹｅｓ）、ユーザにその旨を報知し（ステップ３ｆ）、処理を終了する。
【００２８】
ステップ３ｃにおいて、規定の条件を満たさない旨の信号がなかった場合（ステップ３ｃのＮｏ）、制御部６０は、切替部７０から切り替えが完了した旨の通知があるか否かを判断する（ステップ３ｇ）。通知があった場合（ステップ３ｇのＹｅｓ）、ユーザにその旨を報知し（ステップ３ｈ）、処理を終了する。
【００２９】
なお、出力系統の切り替えが中止となった旨の報知を受けた際には、ユーザは、出力系統を現用系から予備系に切り替える旨の指示を再度、デジタル放送信号切替装置に与えればよい。
【００３０】
図４は、本発明の一実施形態に係る切替部７０における出力系統の切り替えの一例を示す模式図である。図４において、切替元である現用系のＴＳ信号と切替先である予備系のＴＳ信号とは、切替ショックを発生させない条件を満たすか否かを判断される。条件を満たす場合、切替ショックが発生しないとして切替処理が継続される。一方、条件を満たさない場合、切替ショックが発生するとして切替処理が中止される。
【００３１】
以上のように、上記実施形態に係るデジタル放送信号切替装置は、計画切替を行う指示を受けると、制御部６０から切替部７０、現用系出力部１０及び、予備系出力部２０に切替指示信号を出力する。切替部７０は、切替指示信号を受けると出力系統の切り替えを開始する。デジタル放送信号切替装置は、判断部４０で現用系出力部１０から出力されるＴＳ信号と予備系出力部２０から出力されるＴＳ信号とを比較する。そして、デジタル放送信号切替装置は、判断部４０で両系統のＴＳ信号が切替ショックを発生させない条件を満たさないと判断した場合、切替部７０におけるＴＳ信号の出力系統の切り替えを中止する。これにより、現用系出力部１０及び予備系出力部２０から出力されるＴＳ信号の状態に応じて、出力系統の切り替えを中止することが可能となる。
【００３２】
したがって、上記実施形態に係るデジタル放送信号切替装置は、外部から出力系統の切り替えを指示されても、切替ショックが発生するおそれがある場合には、出力系統の切替処理を中止することができる。
【００３３】
なお、本発明は上記実施形態に限定されるものではない。例えば、上記実施形態では、切替ショックを発生させない条件を、切替元となるＴＳ信号と切替先となるＴＳ信号とにおけるＰＴＳが一致し、かつ、ＳＰＦのずれが規定値以内である、と規定する例について説明していたが、この条件に限られるわけではない。
【００３４】
また、上記実施形態では、出力系統の切り替えを中止した場合、その旨をユーザに報知して処理を終了する例について説明したが、ユーザに報知した後、切替部７０、現用系出力部１０及び予備系出力部２０に切替指示信号を自動的に再出力する場合でも同様に処理可能である。
【００３５】
また、上記実施形態では、現用系及び予備系の２系統の冗長構成をとる場合を説明したが、２系統に限定されることはなく、複数系統である場合であっても同様に実施可能である。
【００３６】
さらに、本発明は、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【図面の簡単な説明】
【００３７】
【図１】本発明に係るデジタル放送信号切替装置の一実施形態の機能構成を示すブロック図。
【図２】上記一実施形態のデジタル放送信号切替装置の現用系出力部及び予備系出力部２０の機能構成を示すブロック図。
【図３】上記実施形態の制御部による中止処理の制御を示すフローチャート。
【図４】上記実施形態の切替部における出力系統の切り替えの一例を示す模式図。
【符号の説明】
【００３８】
１０…現用系出力部、１１−１，２１−１…ＨＤＥＮＣ、１１−２，２１−２…ＳＤＥＮＣ、１２，２２…ＭＵＸ、２０…予備系出力部、３０−１，３０−２…分配部、４０…判断部、５０…遅延部、６０…制御部、７０…切替部、７１…ＴＳスプライサ、７２…処理部。
【図１】
2009188756.tif 000003
【図２】
2009188756.tif 000004
【図３】
2009188756.tif 000005
【図４】
2009188756.tif 000006